(57)【要約】【課題】装置本体を大型化することなく、シートのカールを矯正可能な画像形成装置を提供すること。【解決手段】第２搬送アルミローラ４２ａと、第２搬送ゴムローラ４２ｂとを有し、ニップ部Ｎ３でシートを挟持搬送する第２搬送ローラ対４３と、第２搬送ローラ対４３のシート搬送方向下流側で、ニップ部Ｎ３の接線方向に対して第２搬送アルミローラ４２ａ側に湾曲した方向にシートを搬送させる搬送パス８０を形成する湾曲ガイド８１と、を備え、搬送パス８０を形成してシートを搬送可能な搬送可能状態と、搬送パス８０を開放した開放状態とに状態変更可能に構成された湾曲矯正装置において、湾曲ガイド８１は、搬送可能状態において搬送パス８０の出口で第２搬送アルミローラ４２ａと接触する接触部８２を有し、かつ、搬送可能状態における湾曲ガイド８１のシートに対する摩擦力が第２搬送アルミローラ４２ａのシートに対する摩擦力よりも小さい。【選択図】図２
2013156576.tif 000002
【特許請求の範囲】
【請求項１】
第１ローラと、第２ローラとを有し、前記第１ローラと前記第２ローラとのニップ部でシートを挟持搬送する搬送ローラ対と、前記搬送ローラ対のシート搬送方向下流側で、前記ニップ部の接線方向に対して第１ローラ側に湾曲した方向に、前記方向と逆方向にカールしたシートを搬送させる搬送パスを形成する湾曲ガイドと、を備えた湾曲矯正装置において、
前記湾曲ガイドは、前記搬送パスの出口で前記第１ローラに接触してシートを前記第１ローラと挟持する接触部を有し、かつ、前記接触部のシートに対する摩擦力が前記第１ローラのシートに対する摩擦力よりも小さい、
ことを特徴とする湾曲矯正装置。
【請求項２】
前記接触部は、前記湾曲ガイドのシート幅方向に貼り付けられた複数の部材で形成された、
ことを特徴とする請求項１に記載の湾曲矯正装置。
【請求項３】
前記接触部は、前記搬送ローラ対が搬送可能なシートの最大幅よりも広い幅で形成された、
ことを特徴とする請求項１に記載の湾曲矯正装置。
【請求項４】
前記湾曲ガイド及び前記第１ローラの少なくとも一方を付勢して、前記湾曲ガイドと前記第１ローラとを接触させる付勢手段を備えた、
ことを特徴とする請求項１又は２に記載の湾曲矯正装置。
【請求項５】
前記搬送パスから排出されたシートに送風し得る送風ファンを備えた、
ことを特徴とする請求項１から３の何れか１項に記載の湾曲矯正装置。
【請求項６】
シートにトナー像を形成する画像形成手段と、
前記画像形成手段でトナー像が形成されたシートの第１面を少なくとも加熱して、トナー像を定着させる定着手段と、
前記第１面が前記第１ローラに接触し、第１面と反対側の第２面が前記湾曲ガイドの前記接触部と接触するように配置された請求項１から４のいずれか１項に記載の湾曲矯正装置と、を備えた、
ことを特徴とする画像形成装置。
【発明の詳細な説明】
【技術分野】
【０００１】
本発明は、シートの湾曲を矯正可能な湾曲矯正装置及びこれを備える電子写真方式の画像形成装置に関する。
【背景技術】
【０００２】
従来、複写機、プリンタ等の画像形成装置には、電子写真方式を採用した画像形成装置が広く用いられている。電子写真方式の画像形成装置は、像担持体上に形成された静電潜像をトナーで現像して可視画像化（トナー像化）し、これをシートに転写した後、熱及び圧力により定着させる。そのため、電子写真方式の画像形成装置は、加熱及び加圧することでシートに未定着のトナー像を定着させる定着装置を備えている（特許文献１参照）。
【０００３】
定着装置は、加熱ヒータ（例えば、ハロゲンヒータ）を内蔵した加熱ローラと、加熱ローラに圧接する加圧ローラとを備えており、加熱ローラと加圧ローラとのニップ部でシートを挟持して搬送することで、シートに転写された未定着のトナー画像を加熱及び加圧する。そのため、シートが加熱ローラと加圧ローラとのニップ部を通過すると、加熱によりシートの一方側の表面（加熱される側の表面）の水分が蒸発し、シートが湾曲（カール）する場合がある。
【０００４】
シートの湾曲は、シート中の水分量に加え、シートの材質や繊維方向等の因子にも起因するが、通常、加熱による水分の蒸発により水分量が低下し、相対的に水分の低下量の大きい側に変形する。そして、シートが湾曲すると、例えば、シートが湾曲したままシート排出部に排出された場合、排出トレイ上で積載不良を引き起こすおそれがある。排出トレイ上での積載不良は、シートを排出する排出ローラの近傍で紙詰まりを引き起こすおそれもある。また、何より湾曲したシートは扱い難く、ユーザにとって不快なものであるため、できる限り湾曲を抑えたシートを提供することが望ましい。
【０００５】
このようなシートの湾曲を矯正する矯正手段としては、例えば、定着装置の下流側に位置する搬送ローラに、湾曲方向と逆方向にシートを矯正させるための複数のニップ部を形成し、複数のニップ部でシートの湾曲を矯正させる画像形成装置がある。しかしながら、この画像形成装置は、搬送ローラと、複数のニップ部を形成する複数のローラと、これらを配置するスペースとが必要となり、画像形成装置の大型化を招くおそれがある。特に、昨今においては、画像形成装置のオフィスや一般家庭への普及により更なる小型化が求められており、装置の大型化は好ましくない。
【０００６】
また、例えば、できる限り狭くして湾曲させた搬送パスを定着装置の下流側に設け、シートを通過させることでシートの湾曲が矯正可能と考えられる。
【先行技術文献】
【特許文献】
【０００７】
【特許文献１】特開２００４−１５１５０２号公報
【発明の概要】
【発明が解決しようとする課題】
【０００８】
しかしながら、湾曲した搬送パスは、通常、湾曲させたガイドに沿ってシートを搬送させる構成であるため、例えば、搬送パスの出口の隙間の大きさによっては効果的にシートの湾曲を矯正できず、矯正が甘くなる場合があった。また、搬送パスは、ジャム処理等のために開放可能に形成されることが多く、開放後に閉じられた搬送パスの出口の隙間の大きさ（又は形状）によっては、搬送されるシートが搬送パスの出口でジャムを引き起こすおそれもある。そのため、搬送パスは出口管理が必要であり、この出口管理はユーザにとって非常に煩雑なものであった。
【０００９】
そこで本発明は、装置本体を大型化することなく、シートのカールを容易に矯正可能な画像形成装置を提供することを目的とする。
【課題を解決するための手段】
【００１０】
本発明は、第１ローラと、第２ローラとを有し、前記第１ローラと前記第２ローラとのニップ部でシートを挟持搬送する搬送ローラ対と、前記搬送ローラ対のシート搬送方向下流側で、前記ニップ部の接線方向に対して第１ローラ側に湾曲した方向に、前記方向と逆方向にカールしたシートを搬送させる搬送パスを形成する湾曲ガイドと、を備えた湾曲矯正装置において、前記湾曲ガイドは、前記搬送パスの出口で前記第１ローラに接触してシートを前記第１ローラと挟持する接触部を有し、かつ、前記接触部のシートに対する摩擦力が前記第１ローラのシートに対する摩擦力よりも小さい、ことを特徴とする。
【発明の効果】
【００１１】
本発明によれば、湾曲ガイドにより形成された搬送パスの出口に搬送ローラに接触させた接触部を設けることで、装置本体を大型化することなく、シートのカールを容易に矯正することができる。
【図面の簡単な説明】
【００１２】
【図１】本発明の実施形態に係るレーザプリンタの全体構造を模式的に示す断面図である。
【図２】本実施形態に係るレーザプリンタに設けられる定着部を模式的に示す断面図である。
【図３】図２に示す定着部の湾曲矯正部を示す拡大断面図である。
【発明を実施するための形態】
【００１３】
以下、本発明の実施形態に係る画像形成装置について、図１から図３を参照しながら説明する。本発明の実施形態に係る画像形成装置は、複写機、プリンタ、ファクシミリ及びこれら複合機器等、トナー像を形成する電子写真方式の画像形成装置である。以下においては、画像形成装置としてレーザビームプリンタ（以下、単に「レーザプリンタ」という）を用いて説明する。
【００１４】
まず、本発明の実施形態に係るレーザプリンタ１の全体構造について、図１を参照しながら説明する。図１は、本発明の実施形態に係るレーザプリンタ１の全体構造を模式的に示す断面図である。なお、以下においては、ユーザがレーザプリンタ１に対して各種入力／設定を行う不図示の操作パネルに臨む手前側をレーザプリンタ１の「正面側」といい、奥側を「背面側」という。つまり、図１は、正面側から見たレーザプリンタ１の内部構成を示した断面図である。
【００１５】
図１に示すように、本実施形態に係るレーザプリンタ１は、シートＳを給送するシート給送部２と、シートＳに画像を形成する画像形成手段としての画像形成部３と、シートＳに画像を定着させる定着部４と、レーザプリンタ１の内部に外気を導入する送風ファン５と、画像が定着されたシートＳを排出する排出部６と、レーザプリンタ１を制御する制御部７と、を備えている。
【００１６】
シート給送部２は、レーザプリンタ１の下方に設けられており、シートＳを積載する積載トレイ２０と、積載トレイ２０に積載されたシートＳをピックアップする不図示のピックアップローラと、ピックアップされたシートＳを分離給送する不図示の分離給送部と、を備えている。
【００１７】
画像形成部３は、シート給送部２の上方に設けられており、トナー像が形成される感光体ドラム３１と、感光体ドラム３１の表面を一様に帯電する帯電ローラ３２と、レーザ光を照射して感光体ドラム３１に静電潜像を形成する露光部３３と、感光体ドラム３１上の静電潜像をトナー像として可視化する現像装置３４と、感光体ドラム３１とで転写ニップＮ１を形成する転写ローラ３５と、感光体ドラム３１に残留したトナーを回収するクリーニング装置３６と、を備えている。
【００１８】
定着部４は、画像形成部３のシート搬送方向Ａの下流側（以下、単に「下流側」という）に設けられている。なお、定着部４については、後に詳しく説明する。送風ファン５は、定着部４及び定着部４の下流側のシート搬送路を送風するように設けられており、例えば、定着部４で画像が加熱定着されたシートＳを送風して冷却する。本実施形態においては、送風ファン５は、湾曲矯正装置の一部を構成している。排出部６は、定着部４の下流側に設けられており、シートＳを装置本体の内部から排出する排出ローラ対６１と、排出されたシートＳを積載する排出トレイ６２と、を備えている。
【００１９】
制御部７は、不図示のＣＰＵと、不図示のＲＡＭと、不図示のＲＯＭ等を備えており、不図示の操作パネルによる設定等に従って、ＣＰＵがＲＯＭに格納された所定のプログラム（例えば、後述の画像形成処理等）を演算の作業領域として用いられるＲＡＭで実行する。
【００２０】
次に、上述のように構成された本実施形態に係るレーザプリンタ１の画像形成処理について説明する。画像形成処理が開始されると、不図示の外部インターフェイスに接続された不図示のパソコン又は不図示の読取スキャナ等から送信された原稿等の画像情報（画像情報信号）に応じて、露光部３３が感光体ドラム３１の表面にレーザ光を照射する。これにより、帯電ローラ３２によって所定の極性電位に一様に帯電されている感光体ドラム３１の表面が露光され、感光体ドラム３１の表面に静電潜像が形成される。感光体ドラム３１の表面に静電潜像が形成されると、現像装置３４が静電潜像を現像し、トナー像として可視化される。
【００２１】
上述のトナー像の形成動作に並行して、シート給送部２から１枚ずつ分離給送されたシートＳは、不図示の搬送ローラ対により搬送ローラ対の下流側のシート搬送路に設けられたレジストローラ対１０に搬送され、レジストローラ対１０により所定のタイミングで転写ニップＮ１に搬送される。転写ニップＮ１に搬送されたシートＳは、転写ローラ３５により、可視化されたトナー像が第１面に転写される。
【００２２】
トナー像が転写されたシートＳは、定着部４に搬送され、定着部４で第１面が加熱されると共に、第１面と反対側の第２面が加圧されることでトナーが溶融され、画像として定着される。その後、画像が定着されたシートＳは、送風ファン５により第２面側が送風されながら排出部６に送られ、排出ローラ対６１によって排出トレイ６２に排出される。これにより、レーザプリンタ１の画像形成処理が終了する。
【００２３】
次に、本実施形態に係るレーザプリンタ１の定着部４について、図１に加え、図２及び図３を参照しながら説明する。図２は、本実施形態に係るレーザプリンタ１に設けられる定着部４を模式的に示す断面図である。図３は、図２に示す定着部４の湾曲矯正部８を示す拡大断面図である。
【００２４】
図２に示すように、定着部４は、シートＳに転写された未定着のトナー像を定着させる定着手段としての定着ローラ対４０と、温度を検知するサーミスタ４１と、定着ローラ対４０の下流側に設けられた第１搬送ローラ対４２と、第１搬送ローラ対４２の下流側に設けられた搬送ローラ対としての第２搬送ローラ対４３と、定着ローラ対４０、第１搬送ローラ対４２及び第２搬送ローラ対４３を回転自在に支持するユニットケース４４と、を備えている。
【００２５】
定着ローラ対４０は、トナー像を加熱する発熱体としての加熱ヒータ４５を内包する加熱ローラ４０ａと、加熱ローラ４０ａとでシートＳを挟持して加圧する加圧ローラ４０ｂと、を備えている。加熱ローラ４０ａは、不図示の駆動モータによって図２に示す矢印Ｒ１方向に回転駆動される。加圧ローラ４０ｂは、中空管材の外周に弾性層が被覆され、弾性層の上に更に表面剥離層が被覆されて形成されている。加圧ローラ４０ｂは、加熱ローラ４０ａに圧接することで定着ニップを構成しており、加熱ローラ４０ａの回転に従動して、図２に示す矢印Ｒ２方向に回転する。
【００２６】
サーミスタ４１は、加熱ローラ４０ａの外周面のシート搬送領域に接触配置されており、加熱ローラ４０ａの温度を検知する。サーミスタ４１により検知された温度は、制御部７の不図示のＣＰＵに送信され、ＣＰＵにより加熱ヒータ４５への電力供給が制御されることで、加熱ローラ４０ａの表面温度が所定の温度に保持される。
【００２７】
第１搬送ローラ対４２は、シート搬送方向Ａに対して加熱ローラ４０ａ側に配設された第１搬送アルミローラ４２ａと、加圧ローラ４０ｂ側に配設された第１搬送ゴムローラ４２ｂと、を備えており、第１搬送アルミローラ４２ａと第１搬送ゴムローラ４２ｂとのニップ部Ｎ２でシートＳを挟持搬送する。第１搬送アルミローラ４２ａは、アルミ棒材の外周にフッ素樹脂のフィルムを巻いて形成されている。第１搬送ゴムローラ４２ｂは、シリコンゴムにより形成されており、不図示の駆動モータにより回転駆動するように構成されている。なお、第１搬送ゴムローラ４２ｂの周速は、定着ローラ対４０との間でシートＳが弛まないように設定されている。
【００２８】
第２搬送ローラ対４３は、シート搬送方向Ａに対して加熱ローラ４０ａ側に配設された第１ローラとしての第２搬送アルミローラ４３ａと、加圧ローラ４０ｂ側に配設された第２ローラとしての第２搬送ゴムローラ４３ｂと、を備えており、第２搬送アルミローラ４３ａと第２搬送ゴムローラ４３ｂとのニップ部Ｎ３でシートＳを挟持搬送する。第２搬送アルミローラ４３ａは、アルミ中空管材の外周にフッ素樹脂のフィルムを巻いて形成されている。第２搬送ゴムローラ４３ｂは、シリコンゴムにより形成されており、不図示の駆動モータにより回転駆動するように構成されている。なお、第２搬送ゴムローラ４３ｂの周速は、第１搬送ローラ対４２との間でシートＳが弛まないように設定されている。
【００２９】
ユニットケース４４は、第１搬送ゴムローラ４２ｂ及び第２搬送ゴムローラ４３ｂを回転自在に支持する第１ケース４４ａと、定着ローラ対４０、第１搬送アルミローラ４２ａ及び第２搬送アルミローラ４３ａを支持する第２ケース４４ｂと、を備えており、第１ケース４４ａは、第２ケース４４ｂに回転軸４４ｃを中心に回動自在に支持されている。ユニットケース４４は、第１ケース４４ａを回動させることで、第１搬送ゴムローラ４２ｂを第１搬送アルミローラ４２ａから、第２搬送ゴムローラ４３ｂを第２搬送アルミローラ４３ａから離間可能に構成されており、第１搬送ゴムローラ４２ｂ及び第２搬送ゴムローラ４３ｂを離間させることで、第１搬送ローラ対４２及び第２搬送ローラ対４３における紙詰まり等を解消可能となっている。
【００３０】
また、ユニットケース４４は、第２搬送アルミローラ４３ａを保持するローラ保持部材４６と、ローラ保持部材４６を第２搬送ゴムローラ４３ｂに向かって付勢する付勢手段としての付勢部材４７と、送風ファンのエアをユニットケース４４の内部に導入する送風ダクト４８と、シートの湾曲（カール）を矯正する湾曲矯正部８と、を備えている。ローラ保持部材４６及び付勢部材４７は、第２ケース４４ｂに配設されており、付勢部材４７が、ローラ保持部材４６を介して第２搬送アルミローラ４３ａを第２搬送ゴムローラ４３ｂに向かって付勢している。本実施形態においては、付勢部材４７がローラ保持部材４６を付勢することで、第２搬送アルミローラ４３ａを第２搬送ゴムローラ４３ｂ及び湾曲矯正部８の後述の湾曲ガイド８１に当接させている。
【００３１】
送風ダクト４８は、送風ファン５と対向配置されている（図１参照）。本実施形態においては、送風ダクト４８は、第１搬送ローラ対４２と第２搬送ローラ対４３との間のシート搬送路に向かって送風ファン５からのエアを送風させて、画像が加熱定着されたシートＳを冷却可能に構成されている。
【００３２】
図３に示すように、湾曲矯正部８は、第２搬送ローラ対４３のシート搬送方向下流側に設けられており、第２搬送ローラ対４３のニップ部Ｎ３の接線方向に対して第２搬送アルミローラ４３ａ側（第１ローラ側）に湾曲した方向にシートＳを搬送させる搬送パス８０を形成する湾曲ガイド８１を備えている。湾曲ガイド８１は、シートＳを湾曲させる湾曲形状に形成されており、搬送パス８０の出口で第２搬送アルミローラ４３ａと接触する接触部８２を有している。
【００３３】
接触部８２は、テープ状の樹脂シートが湾曲ガイド８１から取外し可能にシート幅方向の複数個所（本実施形態では５箇所）に部分的に貼り付けられて構成されており、例えば、摩耗等により交換が必要になった場合でも容易に交換可能となっている。また、接触部８２は、搬送されるシートＳに対する摩擦力が、第２搬送アルミローラ４３ａのシートに対する摩擦力よりも小さくなるように形成されており、第２搬送ローラ対４３（第２搬送アルミローラ４３ａ）により搬送されるシートＳが、接触部８２と第２搬送アルミローラ４３ａとの間を通過可能となるように形成されている。
【００３４】
また、湾曲ガイド８１は、第１ケース４４ａに支持されており、第１ケース４４ａを回動させることで、搬送パス８０が開放可能になっている。つまり、湾曲ガイド８１は、第１ケース４４ａを閉じることでシートＳを搬送可能な搬送パス８０を構成する搬送可能状態と、第１ケース４４ａを開くことで搬送パス８０が開放される開放状態とに状態変更可能に構成されている。これにより、例えば、搬送パス８０に紙詰まりが生じた場合においても、容易に紙詰まり等を解消することができる。また、接触部８２は、搬送可能状態で第２搬送アルミローラ４３ａと接触するようになっている。
【００３５】
なお、第２搬送ローラ対４３の搬送力は、第２搬送アルミローラ４３ａと接触部８２とが接触することによって生じる抵抗力よりも大きい関係（搬送力>抵抗力）に設定し、シートＳと第２搬送アルミローラ４３ａとの摩擦係数μ１は、シートＳと接触部８２との摩擦係数μ２よりも大きい関係（μ１>μ２）に設定されている。
【００３６】
次に、本実施形態に係るレーザプリンタ１の定着ローラ対４０の下流側に設けられた湾曲矯正装置を構成する、第２搬送ローラ対４３、湾曲矯正部８及び送風ファン５によるシートＳの湾曲矯正処理について説明する。
【００３７】
トナー像が第１面に転写されたシートＳが転写ニップＮ１から定着部４に搬送されると、未定着のトナー像が定着ローラ対４０により熱及び圧力を受けることで溶融され、画像として定着される。
【００３８】
このとき、シートＳは、加熱ローラ４０ａの加熱ヒータ４５の発熱により加熱ローラ４０ａと接触する第１面の温度が上昇し、シートＳの温度は、第１面に含有される水分が蒸発する温度まで上昇する。第１面の水分が蒸発する温度までシートＳの温度が上昇すると、第１面の水分が蒸発し、第２面の水分が第１面側に移動を開始する。
【００３９】
次に、画像が定着されたシートＳは、定着ローラ対４０の下流側に位置する第１搬送ローラ対４２により挟持され、第２搬送ローラ対４３に送られる。このとき、シートＳは、送風ダクト４８を介して送風ファン５から送風されるエアにより第２面の表面が冷却されて表面から水分が蒸発されるので、シート内部の第２面側から定着部で加熱により水分が蒸発した第１面側への水分の移動が抑制される。
【００４０】
第２搬送ローラ対４３に送られたシートＳは、第２搬送ローラ対４３に挟持搬送され、ニップ部Ｎ３を通過すると、先端が湾曲ガイド８１に当接する。湾曲ガイド８１に当接したシートＳは、湾曲ガイド８１に沿って第２搬送アルミローラ４３ａ側（カールする方向と逆方向）に湾曲される。第２搬送アルミローラ４３ａ側に湾曲されたシートＳは、第２搬送ローラ対４３により更に搬送され、湾曲ガイド８１によって搬送パス８０の出口に向かって案内される。そして、搬送パス８０の出口にある湾曲ガイド８１の接触部８２に到達すると、第２搬送ローラ対４３の搬送力により、接触部８２と第２搬送アルミローラ４３ａとの間を通過する。このとき、第２搬送ローラ対４３の搬送力は、第２搬送アルミローラ４３ａと接触部８２とが接触することによって生じる抵抗力よりも大きいため、接触部８２と第２搬送アルミローラ４３ａとの間を通過可能となる。シートＳは、搬送パス８０を通過することにより、シートＳの第２面側に沿った状態となり得る湾曲が矯正される。
【００４１】
接触部８２と第２搬送アルミローラ４３ａとの間を通過したシートＳは、矯正された状態のまま搬送パス８０の出口から排出され、送風ファン５の送風により第２面が冷却される。これにより、シートＳが第１面側に湾曲した状態で保持されるようになり、例えば、水分の移動等により生じ得る第２面側への湾曲が軽減される。
【００４２】
以上説明したように、本実施形態に係るレーザプリンタ１は、湾曲した搬送パス８０を構成する湾曲ガイド８１が、搬送パス８０の出口で第２搬送アルミローラ４３ａと接触する接触部８２を有し、かつ、接触部のシートに対する摩擦力が第２搬送アルミローラ４３ａのシートに対する摩擦力よりも小さくなるように形成されている。そのため、湾曲ガイド（接触部８２）８１で搬送パス８０の出口を好適に規制することができる。これにより、シートＳの矯正に最適な状態の搬送パス８０を容易に形成することができる。その結果、例えば、シートの湾曲を矯正する搬送パスの出口で湾曲の矯正が甘くなることを防止することができる。また、接触部を第２搬送アルミローラ４３ａと接触させることで、搬送パスを開放自在に構成した場合においても搬送パスの出口の管理を軽減させることができる。
【００４３】
また、搬送パス８０を構成する湾曲ガイド８１の接触部８２を第２搬送アルミローラ４３ａに接触させるだけの構成であるため、第２搬送アルミローラ４３ａとニップを形成させるためのローラ等を別途設ける必要がない。そのため、別途設けるローラ等を配設するためのスペースが不要となり、装置本体の大型化を防止することができる。これにより、装置本体を大型化することなく、シートのカールを容易に矯正することができる。
【００４４】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００４５】
例えば、本実施形態においては、第２搬送ローラ対４３、湾曲矯正部８及び送風ファン５により湾曲矯正装置を構成したが、本発明においてはこれに限定されない。湾曲矯正装置は、第２搬送ローラ対４３及び湾曲矯正部８を有する構成であればよい。
【００４６】
また、例えば、本実施形態においては、付勢部材４７がローラ保持部材４６を介して第２搬送アルミローラ４３ａを付勢することで、第２搬送アルミローラ４３ａと湾曲ガイド８１とを当接させたが、本発明においてはこれに限定されない。例えば、湾曲ガイド８１を付勢して湾曲ガイド８１を第２搬送アルミローラ４３ａに当接させる構成であってもよく、第２搬送アルミローラ４３ａ及び湾曲ガイド８１を付勢して、第２搬送アルミローラ４３ａと湾曲ガイド８１とを当接させる構成であってもよい。つまり、第２搬送アルミローラ４３ａ及び湾曲ガイド８１の少なくとも一方を付勢する構成であればよい。
【００４７】
さらに、本実施形態においては、接触部８２をテープ状の樹脂シートとしてシート幅方向に対して部分的に貼り付けているが、接触部８２は、搬送可能なシートＳの最大幅よりも広い幅で第２搬送アルミローラ４３ａと接触し、搬送されるシートＳの幅方向の全域を挟持可能としても良い。
【符号の説明】
【００４８】
１    レーザプリンタ（画像形成装置）
３    画像形成部（画像形成手段）
４    定着部
５    送風ファン
４０    定着ローラ対（定着手段）
４３    第２搬送ローラ対（搬送ローラ対）
４３ａ    第２搬送アルミローラ（第１ローラ）
４３ｂ    第２搬送ゴムローラ（第２ローラ）
４７    付勢部材（付勢手段）
８０    搬送パス
８１    湾曲ガイド
８２    接触部
Ｎ３    ニップ部
Ｓ    シート
【図１】
2013156576.tif 000003
【図２】
2013156576.tif 000004
【図３】
2013156576.tif 000005